(57)【要約】【課題】  立体感があって装飾的に優れたエンボス化粧シート、およびこのようなエンボス化粧シートを簡単に、かつ、安価に製造することができるエンボス化粧シートの製造方法を提供する。【解決手段】  表面および裏面にエンボス模様Ｘ，Ｙが形成された透明な熱可塑性樹脂平板２からなる基材シート３の裏面に、隠蔽層４が設けられてなる。また、透明な熱可塑性樹脂平板２を加熱して軟化させる一方、表面にエンボス模様Ｘ，Ｙに対応する模様が形成されるとともに、該模様同士が対向するように配置された２つの金型を熱可塑性樹脂平板２の温度よりも低温に加熱した後、熱可塑性樹脂平板２を２つの金型の間に載置して加圧し、各金型の模様を熱可塑性樹脂平板２の表裏面に転写して基材シート３を形成し、次いで、基材シート３の裏面を加飾して隠蔽層４を設けることにより製造する。【選択図】図１
2006305809.tif 000002
【特許請求の範囲】
【請求項１】
透明な熱可塑性樹脂平板の表面および裏面にエンボス模様が形成された基材シートの裏面に、隠蔽層が設けられてなることを特徴とするエンボス化粧シート。
【請求項２】
前記基材シートを構成する透明な熱可塑性樹脂平板が、ポリスチレンまたはメタクリル酸メチル重合物を主成分とすることを特徴とする請求項１記載のエンボス化粧シート。
【請求項３】
透明な熱可塑性樹脂平板を加熱して軟化させる一方、
表面にエンボス模様に対応する模様が形成されるとともに、該模様同士が対向するように配置された２つの金型を前記熱可塑性樹脂平板の温度よりも低温に加熱した後、
熱可塑性樹脂平板を２つの金型の間に載置して加圧し、各金型の模様を熱可塑性樹脂平板の表裏面に転写して基材シートを形成し、
次いで、基材シートの裏面を加飾して隠蔽層を設けることを特徴とするエンボス化粧シートの製造方法。
【発明の詳細な説明】
【技術分野】
【０００１】
本発明は、エンボス模様が設けられた化粧シートおよびその製造方法に関する。
【背景技術】
【０００２】
木質系ボード類、無機系ボード類等と化粧シートとを接着剤等を介して貼り合わされる化粧板は、部屋の間仕切り等に使用されている。
【０００３】
この化粧板の化粧シートとしては、透明樹脂板の片面に模様印刷を施したものや、透明樹脂板の一面に模様印刷を施し、他面にエンボス模様を設けたもの（例えば、特許文献１参照。）が知られている。
【特許文献１】特開平９−２４５８５号公報
【発明の開示】
【発明が解決しようとする課題】
【０００４】
しかしながら、上記した従来の化粧シートにあっては、化粧シートに施された模様が平面的で立体感に乏しく、装飾的に劣るという欠点がある。
【０００５】
そこで、上記した従来の化粧シートに装飾用樹脂板を部分的に貼着して立体感を付与したものが提案されているが、化粧シートを生産するのに要する費用が高価になるといった問題があった。
【０００６】
本発明は、このような事情に鑑み創案されたもので、立体感があって装飾的に優れたエンボス化粧シートを提供するとともに、このエンボス化粧シートを簡単かつ安価に製造することのできるエンボス化粧シートの製造方法を提供するものである。
【課題を解決するための手段】
【０００７】
上記の目的を達成するため、本発明のエンボス化粧シートは、透明な熱可塑性樹脂平板の表面および裏面にエンボス模様が形成された基材シートの裏面に、隠蔽層が設けられてなることを特徴とする。
【０００８】
本発明によれば、基材シートの表面と裏面の両面にエンボス模様が形成され、基材シートの裏面に、隠蔽層が設けられているので、化粧シートに対する照明光の入射角度によってエンボス模様の陰影が異なることから、照明位置を変化させることにより、表面側エンボス模様が強調されて見えたり、裏面側エンボス模様が強調されて見える。このため、エンボス化粧シートは、立体感がある、装飾的に優れたものとなる。
【０００９】
本発明において、前記基材シートを構成する透明な熱可塑性樹脂平板を、ポリスチレンまたはメタクリル酸メチル重合物を主成分とすると、基材シートの透明性を高めることができるので、裏面側エンボス模様による陰影を明瞭に視認することができ、好ましい。
【００１０】
本発明のエンボス化粧シートの製造方法は、透明な熱可塑性樹脂平板を加熱して軟化させる一方、表面にエンボス模様に対応する模様が形成されるとともに、該模様同士が対向するように配置された２つの金型を前記熱可塑性樹脂平板の温度よりも低温に加熱した後、熱可塑性樹脂平板を２つの金型の間に載置して加圧し、各金型の模様を熱可塑性樹脂平板の表裏面に転写して基材シートを形成し、次いで、基材シートの裏面を加飾して隠蔽層を設けることを特徴とするものである。
【００１１】
この結果、立体感のある、装飾的に優れたエンボス化粧シートを簡単に、かつ、安価に製造することができる。
【発明の効果】
【００１２】
本発明によれば、立体感があって装飾的に優れたエンボス化粧シートを得ることができる。
【００１３】
また、本発明によれば、立体感があって装飾的に優れたエンボス化粧シートを簡単に、かつ、安価に製造することができる。
【発明を実施するための最良の形態】
【００１４】
以下、本発明の実施の形態について、図を参照して説明する。
【００１５】
図１には、本実施形態のエンボス化粧シート１が示されている。
【００１６】
このエンボス化粧シート１は、透明な熱可塑性樹脂平板２の表面および裏面にそれぞれエンボス模様Ｘ，Ｙ（図２参照）が形成された基材シート３の裏面に加飾による隠蔽層４が設けられて形成されている。
【００１７】
このようなエンボス化粧シート１によれば、照明位置によって看者にはエンボス模様Ｘ，Ｙのいずれか一方が強調されて視認される。すなわち、図３に示すように、照明位置Ａから照明して正面より観察すると、エンボス化粧シート１における基材シート３の表面側のエンボス模様Ｘの陰影が際立ち、裏面側のエンボス模様Ｙが見え難くなる。したがって、看者には、図２（ａ）に示すようなエンボス化粧シート１の表面側のエンボス模様Ｘが強調されて視認される。一方、照明位置Ｂから照明して正面より観察すると、エンボス化粧シート１における基材シート３の裏面側のエンボス模様Ｙの陰影が際立ち、表面側のエンボス模様Ｘが見え難くなる。したがって、看者には、図２（ｂ）に示すようなエンボス化粧シート１の裏面側のエンボス模様Ｙが強調されて視認される。
【００１８】
このように、エンボス化粧シート１は、基材シート３の表面および裏面にそれぞれエンボス模様Ｘ，Ｙを形成しているため、照明位置によって看者には表面側のエンボス模様Ｘが強調されて視認されたり、裏面側のエンボス模様Ｙが強調されて視認されるので、風情のある装飾効果を発揮することができ、立体感があって、装飾的に優れたものとなる。
【００１９】
なお、このエンボス化粧シート１は、その裏面の隠蔽層４側を木質系ボード類、無機系ボード類に接着剤等を介して貼り合わせ，適宜の大きさに切断して部屋の間仕切りなどに使用される。
【００２０】
次に、このようなエンボス化粧シート１の製造方法について説明する。
【００２１】
本実施形態では、透明な熱可塑性樹脂平板２として、ポリスチレン樹脂押し出し板を用い、この熱可塑性樹脂平板２を赤外線ヒータによって、１２０℃に加熱する。
【００２２】
次に、表面にエンボス模様Ｘに対応する模様Ｘ１を形成した金型５ａと、表面にエンボス模様Ｙに対応する模様Ｙ１を形成した金型５ｂを、これらの模様Ｘ１，Ｙ１同士が対向するように配置して、９０℃に加熱する。
【００２３】
続いて、金型５ａ，５ｂの間に熱可塑性樹脂平板２を載置し、所定の厚みになるように設定されたスペーサー６を金型５ａ，５ｂの間に挟んで、型締めし、２．９４×１０6Ｐ
ａにて加圧する（図４参照）。
【００２４】
そして、所定の厚みになった時点で加圧を止め、熱可塑性樹脂平板２を金型５ａ，５ｂから取り外すと、両面にエンボス模様Ｘ，Ｙが形成された基材シート３が得られる。
【００２５】
なお、基材シート３の表面と裏面に形成するエンボス模様は、異なるものであっても、同じものであってもよい。
【００２６】
続いて、この基材シート３の裏面に、不飽和ポリエステル樹脂をベースとする塗料をスプレーガンを用いて塗装し、加熱炉に入れて硬化させて隠蔽層４を設ける。
【００２７】
なお、隠蔽層４を設けるのは、上記したスプレーガンを用いて塗料を吹き付ける方法に限られるものではなく、例えば、スクリーン印刷により印刷しても良い。また、隠蔽層４は、模様を施していてもよく、あるいは模様を施していない単色であってもよい。
【００２８】
また、透明な熱可塑性樹脂平板２として、アクリル樹脂押し出し板を用い、この熱可塑性樹脂平板２を赤外線ヒータによって、１２０℃に加熱し、８０℃に加熱した金型５ａ，５ｂの間に載置し、その後は上記と同様の工程によりエンボス化粧シート１を製造してもよい。
【産業上の利用可能性】
【００２９】
本発明は、立体感があって装飾的に優れたエンボス化粧シート、およびこのようなエンボス化粧シートを簡単に、かつ、安価に製造することができるエンボス化粧シートの製造方法に適用できる。
【図面の簡単な説明】
【００３０】
【図１】本発明に係るエンボス化粧シートの断面図である。
【図２】図１のエンボス化粧シートのエンボス模様を示す平面図である。
【図３】本発明に係るエンボス化粧シートの使用状態を説明する図である。
【図４】本発明に係るエンボス化粧シートの製造工程を示す概略図である。
【符号の説明】
【００３１】
１      エンボス化粧シート
２      透明な熱可塑性樹脂平板
３      基材シート
４      隠蔽層
５ａ，５ｂ      金型
Ｘ，Ｙ  エンボス模様
【図１】
2006305809.tif 000003
【図２】
2006305809.tif 000004
【図３】
2006305809.tif 000005
【図４】
2006305809.tif 000006